(57)【要約】【課題】取り扱いが容易でかつ安価に構成することができる吸引器具を提供する。【解決手段】片手で保持可能なサイズに構成され、かつ、丸みを帯びた形状に構成された本体４と、該本体４内に配置され香成分Ｓを収容可能な収容部２及び該収容部２を加熱する加熱部３と、前記香成分Ｓを吸うための吸い口部５とを備えている。【選択図】  図１Ａ
2020189222.tif 000002
【特許請求の範囲】
【請求項１】
片手で保持可能なサイズに構成され、かつ、丸みを帯び上下方向中央部が最大外径となる形状に構成された本体と、該本体内に配置され香成分を収容可能な収容部と、前記本体内に配置され該収容部を加熱する加熱部と、前記香成分を吸うための吸い口部とを備え、
前記本体内に該本体の外部からの空気を取り込むための複数の吸気口が該本体の上下方向中央部よりも上部側又は下部側に形成され、前記本体の内部に、前記吸い口部と前記複数の吸気口とを連通する通路が形成されていることを特徴とする吸引器具。
【請求項２】
前記通路は、前記吸い口部に連通する第１空気案内通路及び該第１空気案内通路と前記複数の吸気口とを連通接続する複数の第２空気案内通路を備えていることを特徴とする請求項１に記載の吸引器具。
【発明の詳細な説明】
【技術分野】
【０００１】
本発明は、呼吸時に香りを一緒に吸い込むことができる吸引器具に関する。
【背景技術】
【０００２】
（関連出願の相互参照）
本願は、日本国特願２０１５−０６１１７６の優先権を主張し、引用によって本願明細書の記載に組み込まれる。
【０００３】
近年、大きく深い呼吸を行うことが健康促進につながると考えられている。その呼吸時に、香りを一緒に吸い込むことによって、脳に刺激を与えてリラクゼーション効果を同時に得ることができる。そこで、呼吸を行いつつ、リラクゼーションを高めることができる装置が提案されている。この装置は、鼻及び口を覆った状態で呼吸が可能なマスク部と、マスク部に接続された呼吸用筒体と、呼吸用筒体の軸方向一端に接続される吸息筒部と、呼吸用筒体の軸方向他端に接続される呼息筒部と、呼吸用筒体に電気的に接続される制御ボックスとを備えている。また、呼吸用筒体内には、吸息時にのみ開いて吸気する吸気用弁体と、呼息時にのみ開いて呼気を排出する呼気用弁体と、吸気用弁体の開動作を検出する検出手段と、呼気用弁体を通過する吸気の流路に香りを噴霧する香り付与手段とを備えている。そして、制御ボックス内に備えている制御手段は、検出手段の検出信号に基づいて香り付与手段を動作させ吸息に同期して香りを吸気に付与する（例えば、特許文献１参照）。
【先行技術文献】
【特許文献】
【０００４】
【特許文献１】特開２００６−３２５７５６号公報
【発明の概要】
【発明が解決しようとする課題】
【０００５】
上記特許文献１の装置は、多数の部品から構成されているだけでなく、弁体を制御する制御ボックスを備えなければならず、装置全体が大型になって、取り扱いが難しいだけでなく、コスト高になるという不都合があり、改善の余地があった。
【０００６】
そこで、本発明は、かかる事情に鑑みてなされたもので、取り扱いが容易でかつ安価に構成することができる吸引器具を提供することを課題とする。
【課題を解決するための手段】
【０００７】
本発明に係る吸引器具は、片手で保持可能なサイズに構成され、かつ、丸みを帯びた形状に構成された本体と、該本体内に配置され香成分を収容可能な収容部と、前記本体内に配置され該収容部を加熱する加熱部と、前記香成分を吸うための吸い口部とを備えていることを特徴とする。
【０００８】
また、本発明に係る吸引器具においては、前記収容部内に本体の外部からの空気を取り込むための複数の吸気口が前記本体に形成されていてもよい。
【０００９】
また、本発明に係る吸引器具においては、前記吸い口部は、少なくとも２種類あって、その一つは、口から吸い込み可能な第１吸い口部であり、他の一つは、鼻から吸い込み可能な第２吸い口部であり、前記第１吸い口部は、前記本体に対して着脱可能に構成されていてもよく、前記第２吸い口部は、前記本体に対して着脱可能に構成されていてもよい。
【図面の簡単な説明】
【００１０】
【図１Ａ】本発明の第１実施形態に係る吸引器具の正面図である。
【図１Ｂ】本発明の第１実施形態に係る吸引器具の側面図である。
【図１Ｃ】本発明の第１実施形態に係る吸引器具の斜視図である。
【図２】第１実施形態に係る吸引器具を使用している使用状態を示す側面図である。
【図３Ａ】本発明の第２実施形態に係る吸引器具の平面図である。
【図３Ｂ】本発明の第２実施形態に係る吸引器具の正面図である。
【図３Ｃ】本発明の第２実施形態に係る吸引器具の底面図である。
【図４】同第２実施形態の吸引器具の縦断面図である。
【図５】同第２実施形態の吸引器具の吸い口を他の形態の吸い口に付け替えた上端部の縦断面図である。
【図６】本発明の第３実施形態に係る吸引器具を示す正面図である。
【発明を実施するための形態】
【００１１】
＜第１実施形態＞
まず、本発明の第１実施形態に係る吸引器具を説明する。
【００１２】
図１（Ａ），（Ｂ），（Ｃ）に示すように、吸引器具１は、香成分Ｓを収容可能な収容部２及び収容部２を加熱する加熱部３が内部に配置された本体４と、本体４内に収容された香成分Ｓを吸うための吸い口部５とを備えている。
【００１３】
本体４は、縦長状で、かつ、片手で保持可能な太さのサイズに構成され、しかも丸みを帯びた略ランプ形状に構成されている。本体４の内部に、後述する吸い口部５の吸い口５Ａに連通する縦方向（上下方向）の第１空気案内通路４ａが形成されている。また、図１Ａに示すように、本体４の外径が最も大きくなっている上下方向中央部よりも上部側に、本体４内に外気を取り入れるための２つの開口（吸気口）４Ｂ，４Ｃが、左右の中心線に対して左側と右側とに振り分けられて形成されている。ここでは、２つの開口（吸気口）４Ｂ，４Ｃが左右対称となる位置に形成されているが、他の位置に形成されていてもよい。また、それら開口４Ｂ，４Ｃと第１空気案内通路４ａの下端部とを連通接続する２つの第２空気案内通路４ｂ，４ｃが本体４内に形成されている。２つの第２空気案内通路４ｂ，４ｃは、略水平方向に形成されている。また、本体４における第１空気案内通路４ａの下方に、香成分Ｓを収容可能な収容部２と、収容部２に収容された香成分Ｓを加熱する加熱部３と、加熱部３を加熱するための充電型のバッテリ６とを備えている。このように、本体４の中心部に形成される第１空気案内通路４ａの下方に、加熱部３と、バッテリ６とを上下方向で重複するように配置することによって、本体４が横方向（水平方向）に大型化することを抑制することができる。これにより、片手で持ち易くなる。尚、本体４を構成する材料としては、プラスチック（耐熱性プラスチックが好ましい）やセラミックの他、金属等が使用可能である。
【００１４】
加熱部３は、上方が開放された箱型形状に構成され、例えばセラミックヒータ（カーボンヒータでもよい）からなり、バッテリ６により加熱される。この加熱により香成分Ｓが加熱されて香りを放出する。香成分Ｓとしては、固形状、ゲル状、液体状のものが用いられ、公知の香成分を特に制限なく利用できる。例えば、精油、合成香料、動物性香料などを用いることができる。尚、加熱部３は、本体４に備えているスイッチ（図示せず）を操作することによって、加熱状態と非加熱状態とに切り替えられる。
【００１５】
本体４の下端には、バッテリ６に電線７により接続された接点８を備えている。また、図１Ａ，図１Ｂに示す載置台９には、載置した本体４の接点８に接続可能な接点（図示せず）を備えるとともに、該接点（図示せず）に接続されパソコンに接続可能なＵＳＢ端子（図示せず）を備えている。従って、ＵＳＢ端子をパソコンに接続しておけば、載置台９に本体４を載置することによって、ＵＳＢ端子を介してパソコンによりバッテリ６が自動的に充電されるように構成されている。
【００１６】
吸い口部５は、本体４の上端に取り付けられ、図１Ａ，図１Ｂ，図１Ｃ及び図２に示すように、側面視において上側の左側が切欠かれた形状になっている。具体的には、奥行き方向手前側に突出する平面視略円弧状の段部５Ｔを備え、この段部５Ｔよりも上方でかつ手前側（図１Ｂ及び図２では左側）とは反対側（図１Ｂ及び図２では右側（奥側））に引っ込んだ凹部状の鼻受け用段部５Ｕを備えている。この鼻受け用段部５Ｕは、手前側とは反対側の奥側に突出する平面視略円弧状（図１Ｃ参照）に形成されている。そして、この鼻受け用段部５Ｕの手前側でかつ奥行き方向と直交する幅方向中央部に吸い口５Ａが形成されている。吸い口５Ａは、径が下方側ほど小さくなるテーパー状（図１Ａ参照）に構成され、そのテーパーの下端と前記第１空気案内通路４ａの上端とが、吸い口部５の中心に上下方向に形成されている縦向きの空気案内通路５Ｂで連結されている。吸い口部５を構成する材料としては、本体４と同様に、プラスチック（耐熱性プラスチックが好ましい）やセラミックの他、金属等が使用可能である。
【００１７】
このように構成された吸引器具１を使用する場合には、図２に示すように、例えば右手Ｒで吸引器具１を掴むとともに鼻を鼻受け用段部５Ｕに当接する又は接近した状態にする。この状態から、図示していないスイッチを押すことによって加熱部３を駆動して香成分Ｓを加熱する。続いて、大きく深い呼吸を行うことによって、２つの開口４Ｂ，４Ｃから第２空気案内通路４ｂ，４ｃを通して本体４内部に外気を取り入れ、香成分Ｓの香りを外気とともに第１空気案内通路４ａ及び空気案内通路５Ｂを通して上端の吸い口部５から鼻に吸い込む。これにより、健康促進を図りつつ、香り成分Ｓの香りを取り入れて脳を刺激することによるリラクゼーション効果を得ることができる。また、片手で保持可能なサイズに構成され、かつ、丸みを帯びた形状に構成された本体４は、手に馴染み易く片手で容易に保持することができるので、取り扱いが容易である。尚、２つの開口４Ｂ，４Ｃのうちのいずれか一方を指で塞ぐ、又は一方の開口４Ｂ又は４Ｃの一部を指で塞ぐ、あるいは両方の開口４Ｂ，４Ｃの一部を塞ぐことによって、吸い込む外気の量を調整することができる。前記開口４Ｂ，４Ｃが、本体４の最大径となる部分以外の部分に形成されているので、手が小さな方（例えば女性）でも、２つの開口４Ｂ，４Ｃを指で塞ぎ易くなっている。また、収容部２から香成分Ｓを吸い込むための第１空気案内通路４ａに２つの第２空気案内通路４ｂ，４ｃを合流させる構成にするとともに、２つの開口４Ｂ，４Ｃを吸い口部５よりも下方の本体４に形成することによって、本体４を持つ手の指で２つの開口４Ｂ，４Ｃを一層塞ぎ易くなっている。
【００１８】
＜第２実施形態＞
次に、本発明の第２実施形態に係る吸引器具を図３Ａ，図３Ｂ，図３Ｃ及び図４に基づいて説明する。
【００１９】
第１実施形態の吸引器具１は略ランプ形状のものであったが、第２実施形態の吸引器具１０は、第１実施形態の吸引器具１よりも直径が大きくかつ縦方向の寸法及び横方向の寸法が略同一に設定された略リンゴ形状に構成されている。
【００２０】
吸引器具１０は、前述同様に、香成分を収容可能な収容部１１及び収容部１１を加熱する加熱部１２を有する本体１３と、本体１３内に収容された香成分Ｓを吸うための吸い口部１４とを備えている。
【００２１】
本体１３は、片手で保持可能な太さのサイズに構成され、しかも丸みを帯びた略リンゴ形状に構成されており、内部に、吸い口部１４の吸い口１４Ａに連通する空間部１３Ｋが形成されている。また、本体４の下部側の外面には、外気を取り入れるための２つの開口（吸気口）１３Ａ，１３Ｂが形成されている。２つの開口（吸気口）１３Ａ，１３Ｂは、本体４の外径が最も大きくなっている上下方向中央部よりも下部側に、左右の中心線に対して左側と右側とに振り分けられて形成されている（図４参照）。ここでは、２つの開口（吸気口）１３Ａ，１３Ｂが左右対称となる位置に形成されているが、他の位置に形成されていてもよい。また、それら開口１３Ａ，１３Ｂと空間部１３Ｋの下端部とを連通接続する２つの空気案内通路１３ａ，１３ｂが本体１３内に形成されている。２つの空気案内通路１３ａ，１３ｂは、内側ほど上方に位置する傾斜姿勢に形成されている。また、本体１３における空間部１３Ｋの下方に、香成分Ｓを収容可能な収容部１１と、収容部１１に収容された香成分Ｓを加熱する加熱部１２と、加熱部１２を加熱するための充電型のバッテリ１５とを備えている。このように、本体１３の中心部に形成される空間部１３Ｋの下方に、加熱部１２と、バッテリ１５とを上下方向で重複するように配置することによって、本体１３が横方向（水平方向）に大型化することを抑制することができる。これにより、片手で持ち易くなる。本体１３を構成する材料としては、プラスチック（耐熱性プラスチックが好ましい）やセラミックの他、金属等が使用可能である。また、本体１３の底面が載置したときに安定するようにフラット面から構成されている。
【００２２】
加熱部１２は、前述同様に、上方が開放された箱型形状に構成され、例えばセラミックヒータ（カーボンヒータでもよい）からなり、バッテリ１５により加熱される。この加熱により香成分Ｓが加熱されて香りを放出する。また、香成分Ｓとしては、前述同様に、固形状、ゲル状、液体状のものが用いられ、公知の香成分を特に制限なく利用できる。例えば、精油、合成香料、動物性香料などを用いることができる。尚、加熱部１２は、本体４に備えているスイッチ（図示せず）を操作することによって、加熱状態と非加熱状態とに切り替えられる。加熱部１２の上端縁部には、水平軸回りで開閉自在な複数（図４では２つ）の蓋１２Ａ，１２Ａを備えている。これら蓋１２Ａ，１２Ａは、水平姿勢に図示していないスプリングで付勢されており、香成分Ｓを収容部１１に収容する場合には、図４において吸い口部５を本体１３から取り外してから、蓋１２Ａ，１２Ａを破線で示す位置まで指で揺動操作することになる。
【００２３】
本体１３の下端には、前述同様に、バッテリ１５に電線１６を介して接続された接点１７を備えている。また、図４に示す載置台１８には、前述同様に、載置した本体１３の接点１７に接続可能な接点（図示せず）を備えるとともに、該接点（図示せず）に接続されパソコンに接続可能なＵＳＢ端子（図示せず）を備えている。従って、ＵＳＢ端子をパソコンに接続しておけば、載置台１８に本体１３を載置することによって、バッテリ１５が自動的に充電されるように構成されている。
【００２４】
吸い口部１４は、平面視において中央部に上下方向に同一径で貫通する吸い口１４Ａが形成されている。また、吸い口部１４は、本体１３の上端に着脱自在に取り付けられ、口で咥えることができる大きさの口部１４ａと、口部１４ａの下端に本体１３の上端の円形の凸部１３Ｔに係脱自在な円形で上方に凹んだ凹部１４Ｕが形成された係止部１４ｂとを備えている。吸い口部１４を構成する材料としては、本体１３と同様に、プラスチック（耐熱性プラスチックが好ましい）やセラミックの他、金属等が使用可能である。
【００２５】
前記吸い口部１４は、口から吸い込み可能な第１吸い口部から構成されている。そして、前記第１吸い口部１４に代えて鼻から吸い込み可能な第２吸い口部１９を本体１３の上端に装着可能に構成されている。図５に、第２吸い口部１９を本体１３の上端に装着した場合の容部の縦断面図を示している。第２吸い口部１９は、鼻を受ける鼻受け部１９Ａを備えるとともに、本体１３の凸部１３Ｔに係脱自在な円形で上方に凹んだ凹部１９Ｕが形成された係止部１９Ｂを備えている。鼻受け部１９Ａの周縁には、上方に立ち上がる縦壁部１９Ｃが延出されている。従って、第１吸い口部１４を本体１３に装着すると、吸引器具を口から吸い込む形態にすることができ、また、第２吸い口部１９を本体１３に装着すると、吸引器具を鼻から吸い込む形態にすることができる。
【００２６】
このように構成された吸引器具１０を使用する場合には、前述同様に片手で吸引器具１０を掴むとともに図３Ａ、図３Ｂの吸引器具１０では口で第１吸い口部１４を咥える、また図５の吸引器具１０では鼻を鼻受け部１９Ａに当接した状態にする。この状態から、図示していないスイッチを押すことによって加熱部１２を駆動して香成分Ｓを加熱する。続いて、大きく深い呼吸を行うことによって、２つの開口１３Ａ，１３Ｂから空気案内通路１３ａ，１３ｂを通して本体４内部に外気を取り入れ、香成分Ｓの香りを外気とともに空間部１３Ｋを通して上端の吸い口１４Ａから口又は鼻に吸い込む。これにより、健康促進を図りつつ、香り成分Ｓの香りを取り入れて脳を刺激することによるリラクゼーション効果を得ることができる。また、片手で保持可能なサイズに構成され、かつ、丸みを帯びた形状に構成された本体１３は、手に馴染み易く片手で容易に保持することができるので、取り扱いが容易である。尚、２つの開口１３Ａ，１３Ｂのうちのいずれか一方を指で塞ぐ、又は一方の開口１３Ａ又は１３Ｂの一部を指で塞ぐ、あるいは両方の開口１３Ａ，１３Ｂの一部を塞ぐことによって、吸い込む外気の量を調整することができる。また、収容部１１から香成分Ｓを吸い込むための吸い口１４Ａに連通する空間部１３Ｋに２つの空気案内通路１３ａ，１３ｂを合流させる構成にするとともに、２つの開口１３Ａ，１３Ｂを第１吸い口部１４よりも下方の本体１３に（図４では第１吸い口部１４から離間する本体１３の下側に）形成することによって、本体１３を持つ手の指で２つの開口１３Ａ，１３Ｂをより一層塞ぎ易くなっている。
【００２７】
＜第３実施形態＞
次に、本発明の第３実施形態に係る吸引器具を図６に基づいて説明する。尚、第３実施形態の吸引器具２０の内部構造は、図１Ａに示したものと略同一である。そのため、吸引器具２０の内部構造の図示及び説明を省略する。
【００２８】
吸引器具２０は、縦長状で、かつ、片手で保持可能な太さのサイズに構成され、しかも丸みを帯びた略瓢箪形状に構成された本体２０Ａからなり、本体２０Ａの上部に、吸い口部２０Ｂが一体形成されている。吸い口部２０Ｂの上端には、斜めにカットされた吸い口２０Ｃが形成されている。この吸い口２０Ｃに鼻を当てて吸い込んでもよいし、吸い口２０Ｃを口で咥えて吸い込んでもよい。つまり、図６に示した吸引器具２０では、鼻から吸い込む形態と口から吸い込む形態のいずれも可能となる形状になっている。図に示す２１は、加熱部を加熱するための押しボタン式のスイッチであり、また、２２，２３は、外気を本体２０Ａ内に取り込むために吸い口部２０Ｂから離間した位置、つまり本体２０Ａの上部（本体２０Ａが最大径となる部分よりも径が小さな上側）に形成した２つの開口（吸気口）である。
【００２９】
このように構成された吸引器具２０を使用する場合には、前述同様に片手で吸引器具２０を掴むとともに口で吸い口部２０Ｂを咥える、または鼻を吸い口部２０Ｂの上端に当接した状態にする。この状態から、スイッチ２１を押すことによって加熱部を駆動して香成分を加熱する。続いて、大きく深い呼吸を行うことによって、２つの開口２２，２３から本体２０Ａの内部に外気を取り入れ、香成分の香りを外気とともに上端の吸い口２０Ｃから口又は鼻に吸い込む。これにより、健康促進を図りつつ、香り成分を取り入れて脳を刺激することによるリラクゼーション効果を得ることができる。また、片手で保持可能なサイズに構成され、かつ、丸みを帯びた形状に構成された本体２０Ａは、手に馴染み易く片手で容易に保持することができるので、取り扱いが容易である。尚、２つの開口２２，２３のうちのいずれか一方を本体２０Ａを持った手の指で塞ぐ、又は一方の開口２２又は２３の一部を本体２０Ａを持った手の指で塞ぐ、あるいは両方の開口２２，２３の一部を塞ぐことが容易に行え、吸い込む外気の量を調整し易い。
【００３０】
尚、本発明に係る吸引器具は、上記実施形態に限定されるものではなく、本発明の要旨を逸脱しない範囲で種々の変更が可能である。
【００３１】
例えば、本体４又は１３又は２０Ａに形成する２つの開口４Ｂ，４Ｃ又は１３Ａ，１３Ｂを１つの開口にする、あるいは３つ以上の開口にして実施することもできる。
【００３２】
また、前記第１〜第３実施形態では、充電式の吸引器具を示したが、乾電池式から構成してもよいし、電源プラグをコンセントに差し込んで吸引器具に電力を供給する構成であってもよい。前記コンセントから電力を供給する構成の場合、電源プラグをコンセントに差し込んでいる間中、加熱部を常時加熱する構成にしてもよい。
【００３３】
また、前記第１〜第３実施形態では、吸い口部を口で咥えたり、鼻を当接する構成であったが、口を覆う又は鼻を覆うあるいは口と鼻の両方を覆う大きさに構成されたマスクからなる吸い口部であってもよい。
【符号の説明】
【００３４】
１…吸引器具、２…収容部、３…加熱部、４…本体、４Ｂ，４Ｃ…開口（吸気口）、４ａ，４ｂ，４ｃ…空気案内通路、５…吸い口部、５Ａ…吸い口、５Ｂ…空気案内通路、５Ｔ…段部、５Ｕ…鼻受け用段部、６…バッテリ、７…電線、８…接点、９…載置台、１０…吸引器具、１１…収容部、１２…加熱部、１２Ａ…蓋、１３…本体、１３Ａ，１３Ｂ…開口（吸気口）、１３Ｋ…空間部、１３Ｔ…凸部、１３ａ，１３ｂ…空気案内通路、１４…吸い口部（第１吸い口部）、１４Ａ…吸い口、１４Ｕ…凹部、１４ａ…口部、１４ｂ…係止部、１５…バッテリ、１６…電線、１７…接点、１８…載置台、１９…第２吸い口部、１９Ａ…鼻受け部、１９Ｂ…係止部、１９Ｃ…縦壁部、１９Ｕ…凹部、２０…吸引器具、２０Ａ…本体、２０Ｂ…吸い口部、２０Ｃ…吸い口、２１…スイッチ、２２…開口、２２，２３…開口（吸気口）、Ｒ…右手、Ｓ…香成分
【図１Ａ】
2020189222.tif 000003
【図１Ｂ】
2020189222.tif 000004
【図１Ｃ】
2020189222.tif 000005
【図２】
2020189222.tif 000006
【図３Ａ】
2020189222.tif 000007
【図３Ｂ】
2020189222.tif 000008
【図３Ｃ】
2020189222.tif 000009
【図４】
2020189222.tif 000010
【図５】
2020189222.tif 000011
【図６】
2020189222.tif 000012